(57)【特許請求の範囲】
【請求項１】
コンクリート構造物を打設するための一対の型枠と、前記一対の型枠のそれぞれの外側面に固定される支持部材と、前記支持部材のそれぞれの外側面に長手方向と直交するように間隔を置いて配設される保持部材とを備え、
前記保持部材は、前記支持部材の外側に固定される垂直部と、前記垂直部の上端から前記支持部材とは反対方向に延びる水平部とから形成され、前記垂直部と前記水平部とは固定されて一体構造をしているとともに、前記垂直部と前記水平部とが交叉するコーナーには、長手方向に間隔を置いて配設される複数の前記保持部材を連結して保持するための連結部材が配設されており、前記連結部材は前記保持部材に固定金具で固定されるものであり、前記一対の型枠をまたいで前記左右の保持部材の水平部の上面には前記一対の型枠の間隔を保持するための間隔保持梁が載置され、前記水平部と前記間隔保持梁とは締付金具で一体に固定されることを特徴とするコンクリート構造物用型枠装置。
【請求項２】
前記保持部材の前記垂直部の下部と前記水平部の外端部との間を結ぶ位置には前記垂直部と前記水平部となす角度を維持するための伸縮ジャッキが設けられることを特徴とする請求項１に記載のコンクリート構造物用型枠装置。
【請求項３】
前記間隔保持梁の両端面には端部部材が固着され、これら端部部材のそれぞれには前記保持部材の前記水平部の外端面を押圧又は引っ張り可能なジャッキベースが装着されることを特徴とする請求項１又は請求項２に記載のコンクリート構造物用型枠装置。
【請求項４】
前記間隔保持梁の上面には、コンクリート打設作業に使用するための仮設足場が設置されることを特徴とする請求項１または請求項２に記載のコンクリート構造物用型枠装置。
【請求項５】
根切りで溝を掘った後、ベース部分に捨コンクリートを打設し、その後、捨コンクリートの上に地中梁の配筋を行い、鉄筋工事後に型枠装置を搬入して型枠装置の空間内へのコンクリートの打設と、型枠装置の次打設位置への移動とを交互に繰り返して長手方向に連続するコンクリート構造物を築造する工法において、
型枠の外側面に支持部材を固定し、前記支持部材の外側面に長手方向と直交するように間隔を置いて複数の保持部材を固定し、前記複数の保持部材を連結部材より長手方向において連結することにより構成される半割型枠装置を一対形成しておき、前記一対の半割型枠装置を所定の間隔をもって対向配置させた状態で前記一対の半割型枠装置の上部をまたいで前記半割型枠装置のそれぞれの前記保持部材の上面に間隔保持梁を載置して前記保持部材と前記間隔保持梁とを締付金具で一体に固定して前記一対の半割枠装置を一体に組み立て、その後、前記間隔保持梁の上面に仮設足場を設置することにより型枠装置を形成し、コンクリート構造物を築造する現場に前記型枠装置を搬入してジャッキベースにより前記型枠装置の据え付けを行い、前記型枠の空間内にコンクリートを打設し、コンクリートの硬化後、前記型枠装置を次の打設位置に移動させることを特徴とするコンクリート構造物の型枠工法。
【発明の詳細な説明】
【技術分野】
【０００１】
本発明は、例えば、地中梁等を築造するときに使用されるコンクリート構造物用型枠装置及びコンクリート構造物の型枠工法に関する。
【背景技術】
【０００２】
一般的に、建物の基礎間に設けられる地中梁等を築造するときは、根切りで溝を掘った後、ベース部分に捨コンクリートを打設し、その後、捨コンクリートの上に地中梁の配筋を行い、鉄筋工事後に木板等の型枠材をクレーン等で搬入して型枠の建て込みを行い、足場を組立後に、コンクリートを打設し、コンクリートが固まった後に型枠及び足場を解体し、現場から搬出するという順序で作業が行われる。
【０００３】
上記の地中梁等の築造に使用される型枠としては、従来、例えば、コンクリートを打設する側の面が平坦に形成された一対の型枠と、型枠間の間隔を設定するための複数のセパレータとを備え、セパレータにより型枠に作用するコンクリートの圧力を支持するものが知られている（以下、「従来技術１」という。例えば、特許文献１参照。）。
【０００４】
また、地中梁等の築造に使用される型枠として、一対の型枠と、型枠間の間隔を設定するための複数のセパレータとを備え、各型枠の外側に夫々一対の足場ブラケット及び設置桿を設け、各ブラケットの上部に設けられた水平方向の足場受け部材の上面に足場板を載置して、型枠の両側に型枠上端より高い位置に足場板を設置するものが知られている（以下、「従来技術２」という。例えば、特許文献２参照。）。
【先行技術文献】
【特許文献】
【０００５】
【特許文献１】特開２００５−３３０６４９号公報
【特許文献２】特開２００５−２５６２９１号公報
【発明の概要】
【発明が解決しようとする課題】
【０００６】
しかしながら、従来技術１においては、型枠間の間隔を設定するための複数のセパレータを備える必要があり、これらセパレータによる型枠間の間隔の設定が煩雑であるととともにセパレータの装着及び型枠の解体の作業に要する時間が多くなるいう問題があった。
また、従来技術２においては、型枠間の間隔を設定するための複数のセパレータを備えた型枠の外側に足場ブラケット及び設置桿を設けるため、セパレータの装着及び脱着する作業が大変であるとともに、セパレータの他に足場板を設置するための特別の部材を設ける必要であるという問題があった。
【０００７】
本発明は、従来技術の問題を解決するためになされたもので、一対の型枠の上部にこれら一対の型枠の間隔を保持する間隔保持梁を設けることにより、セパレータを用いることなく型枠間の間隔を保持することができるコンクリート構造物用型枠装置及びコンクリート構造物の型枠工法を提供することを目的とする。
また、本発明は、前記間隔保持梁を利用して型枠の上方に足場を設置することにより、足場設置のための特別な部材を必要とすることなく足場の設置が可能であるコンクリート構造物用型枠装置及びコンクリート構造物の型枠工法を提供することを目的とする。
【課題を解決するための手段】
【０００８】
上記目的を達成するため本発明のコンクリート構造物用型枠装置は、第１に、コンクリート構造物を打設するための一対の型枠と、前記一対の型枠のそれぞれの外側面に固定される支持部材と、前記支持部材のそれぞれの外側面に長手方向と直交するするように間隔を置いて配設される保持部材とを備え、
前記保持部材は、前記支持部材の外側に固定される垂直部と、前記垂直部の上端から前記支持部材とは反対方向に延びる水平部とから形成されるとともに、前記垂直部と前記水平部とが交叉するコーナーには、長手方向に間隔を置いて配設される複数の前記保持部材を連結して保持するための連結部材が配設されており、
前記一対の型枠をまたいで前記左右の保持部材の水平部の上面には前記一対の型枠の間隔を保持するための間隔保持梁が載置され、前記水平部と前記間隔保持梁梁とは締付金具で一体に固定されることを特徴としている。
この特徴によれば、間隔保持梁を設けることにより、従来のセパレータを用いることなく型枠間の間隔を設定することができるとともに、間隔保持梁と保持部材とが協働して打設されるコンクリートの内圧に抗して型枠を強固に保持することができる。
【０００９】
また、本発明のコンクリート構造物用型枠装置は、第２に、第１の特徴において、前記保持部材の前記垂直部の下部と前記水平部の外端部との間を結ぶ位置には前記垂直部と前記水平部となす角度を維持するための伸縮ジャッキが設けられることを特徴としている。
この特徴によれば、保持部材の垂直部と水平部７との間の角度を維持することができ、ひいては、型枠に作用するコンクリートの内圧に抗して型枠をより一層強固に保持することができる。
【００１０】
また、本発明のコンクリート構造物用型枠装置は、第３に、第１または第２の特徴において、前記間隔保持梁の両端面には端部部材が固着され、これら端部部材のそれぞれには前記保持部材の前記水平部の外端面を押圧又は引っ張り可能なジャッキベースが装着されることを特徴としている。
この特徴によれば、保持部材を支持部材及び型枠に向けて押圧することができ、型枠に作用するコンクリートの内圧に抗して型枠をより一層強固に保持することができる。また、保持部材を反対方向に引っ張ることにより、コンクリート構造物から型枠を剥離することができる。
【００１１】
また、本発明のコンクリート構造物用型枠装置は、第４に、第１ないし第３のいずれかの特徴において、前記間隔保持梁の上面には、コンクリート打設作業に使用するための仮設足場が設置されることを特徴としている。
この特徴によれば、足場設置のための特別な部材を必要とすることなく間隔保持梁を利用して足場の設置ができるため、装置の構成が簡単化できるとともに装置の組み立て作業を短時間で行うことができる。
【００１２】
本発明のコンクリート構造物の型枠工法は、根切りで溝を掘った後、ベース部分に捨コンクリートを打設し、その後、捨コンクリートの上に地中梁の配筋を行い、鉄筋工事後に型枠装置を搬入して型枠装置の空間内へのコンクリートを打設と、型枠装置の次打設位置への移動とを交互に繰り返して長手方向に連続するコンクリート構造物を築造する工法において、
型枠の外側面に支持部材を固定し、前記支持部材の外側面に長手方向と直交するするように間隔を置いて複数の保持部材を固定し、前記複数の保持部材を連結部材より長手方向において連結することにより構成される半割型枠装置を一対形成しておき、前記一対の半割型枠装置を所定の間隔をもって対向配置させた状態で前記一対の半割型枠装置の上部をまたいで前記半割型枠装置のそれぞれの前記保持部材の上面に間隔保持梁を載置して前記保持部材と前記間隔保持梁とを締付金具で一体に固定して前記一対の半割枠装置を一体に組み立て、その後、前記間隔保持梁の上面に仮設足場を設置することにより型枠装置を形成し、コンクリート構造物を築造する現場に前記型枠装置を搬入してジャッキベースにより前記型枠装置の据え付けを行い、前記型枠の空間内にコンクリートを打設し、コンクリートの硬化後、前記型枠装置を次の打設位置に移動させることを特徴としている。
この特徴によれば、間隔保持梁を設けることにより、従来のセパレータを用いることがないため型枠装置の組み立てが簡単であるとともに、間隔保持梁を利用して足場の設置ができるため、足場設置のために特別な部材を設ける必要がなく、足場の設置装置の組み立て作業を短時間で行うことができる。
【発明の効果】
【００１３】
本発明は、以下のような優れた効果を奏する。
（１）コンクリート構造物を打設するための一対の型枠と、前記一対の型枠のそれぞれの外側面に固定される支持部材と、前記支持部材のそれぞれの外側面に長手方向と直交するするように間隔を置いて配設される保持部材とを備え、
前記保持部材は、前記支持部材の外側に固定される垂直部と、前記垂直部の上端から前記支持部材とは反対方向に延びる水平部とから形成されるとともに、前記垂直部と前記水平部とが交叉するコーナーには、長手方向に間隔を置いて配設される複数の前記保持部材を連結して保持するための連結部材が配設されており、前記一対の型枠をまたいで前記左右の保持部材の水平部の上面には前記一対の型枠の間隔を保持するための間隔保持梁が載置され、前記水平部と前記間隔保持梁梁とは締付金具で一体に固定されることにより、従来のセパレータを用いることなく型枠間の間隔を設定することができるとともに、間隔保持梁と保持部材とが協働して打設されるコンクリートの内圧に抗して型枠を強固に保持することができる。
【００１４】
（２）前記保持部材の前記垂直部の下部と前記水平部の外端部との間を結ぶ位置には前記垂直部と前記水平部となす角度を維持するための伸縮ジャッキが設けられることにより、保持部材の垂直部と水平部との間の角度を維持することができ、ひいては、型枠に作用するコンクリートの内圧に抗して型枠をより一層強固に保持することができる。
【００１５】
（３）前記間隔保持梁の両端面には端部部材が固着され、これら端部部材のそれぞれには前記保持部材の前記水平部の外端面を押圧又は引っ張り可能なジャッキベースが装着されることにより、保持部材を支持部材及び型枠に向けて押圧することができ、型枠に作用するコンクリートの内圧に抗して型枠をより一層強固に保持することができる。また、保持部材を反対方向に引っ張ることにより、コンクリート構造物から型枠を剥離することができる。
【００１６】
（４）前記間隔保持梁の上面には、コンクリート打設作業に使用するための仮設足場が設置されることにより、足場設置のための特別な部材を必要とすることなく間隔保持梁を利用して足場の設置ができるため、装置の構成が簡単化できるとともに装置の組み立て作業を短時間で行うことができる。
【００１７】
（５）根切りで溝を掘った後、ベース部分に捨コンクリートを打設し、その後、捨コンクリートの上に地中梁の配筋を行い、鉄筋工事後に型枠装置を搬入して型枠装置の空間内へのコンクリートを打設と、型枠装置の次打設位置への移動とを交互に繰り返して長手方向に連続するコンクリート構造物を築造する工法において、
型枠の外側面に支持部材を固定し、前記支持部材の外側面に長手方向と直交するするように間隔を置いて複数の保持部材を固定し、前記複数の保持部材を連結部材より長手方向において連結することにより構成される半割型枠装置を一対形成しておき、前記一対の半割型枠装置を所定の間隔をもって対向配置させた状態で前記一対の半割型枠装置の上部をまたいで前記半割型枠装置のそれぞれの前記保持部材の上面に間隔保持梁を載置して前記保持部材と前記間隔保持梁とを締付金具で一体に固定して前記一対の半割枠装置を一体に組み立て、その後、前記間隔保持梁の上面に仮設足場を設置することにより型枠装置を形成し、コンクリート構造物を築造する現場に前記型枠装置を搬入してジャッキベースにより前記型枠装置の据え付けを行い、前記型枠の空間内にコンクリートを打設し、コンクリートの硬化後、前記型枠装置を次の打設位置に移動させることにより、間隔保持梁を設けることにより、従来のセパレータを用いることがないため型枠装置の組み立てが簡単であるとともに、間隔保持梁を利用して足場の設置ができるため、足場設置のために特別な部材を設ける必要がなく、足場の設置装置の組み立て作業を短時間で行うことができる。
【図面の簡単な説明】
【００１８】
【図１】本発明の実施例に係るコンクリート構造物用型枠装置の正面図である。
【図２】図１のＡ−Ａ矢視図である。
【図３】本発明の実施例に係るコンクリート構造物用型枠装置の平面図である。
【図４】本発明の実施例に係るコンクリート構造物の型枠工法を説明するための斜視図であって、一対の半割枠装置の一方が組み立てられた状態を示したものである。
【図５】本発明の実施例に係るコンクリート構造物の型枠工法を説明するための斜視図であって、一対の半割枠装置が所定の間隔で対向して配設された状態を示したものである。
【図６】本発明の実施例に係るコンクリート構造物の型枠工法を説明するための斜視図であって、一対の半割枠装置が間隔保持梁により一体に固定された状態を示したものである。
【図７】本発明の実施例に係るコンクリート構造物の型枠工法を説明するための斜視図であって、間隔保持梁の上面に仮設足場が設置された状態を示したものである。
【図８】本発明の実施例に係るコンクリート構造物の型枠工法を説明するための斜視図であって、型枠装置がコンクリート構造物を築造する現場に搬入されて据え付けが行われる状態を示したものである。
【発明を実施するための形態】
【００１９】
本発明に係るコンクリート構造物用型枠装置及びコンクリート構造物の型枠工法を実施するための形態を図面を参照しながら詳細に説明するが、本発明はこれに限定されて解釈されるものではなく、本発明の範囲を逸脱しない限りにおいて、当業者の知識に基づいて、種々の変更、修正、改良を加えうるものである。
【実施例】
【００２０】
図１ないし図３を参照しながら、地中梁等のコンクリート構造物を築造するのに適したコンクリート構造物用型枠装置を例にして説明する。
【００２１】
図１は、コンクリート構造物用型枠装置３０の正面図であって、地中梁等を築造するための溝の底部に打設された捨コンクリート５０の上にコンクリート構造物用型枠装置３０が据え付けられた状態が示されている。
なお、地中梁の配筋は省略してあり、符号５１で示す部材は位置出し用の桟木である。
コンクリート構造物用型枠装置３０は、コンクリート構造物を打設するための一対の型枠１、１を備えている。
一対の型枠１、１は、それぞれ、所定の高さ（地面に対して縦方向の高さ）及び所定の長さ（地面に対して横方向の長さ）を有するベニア合板等からなる平板状の板材である。
一対の型枠１、１のそれぞれの外側面には、支持部材２、２が型枠１、１の長手方向に沿って高さ方向に所定間隔で配設されている。支持部材２は、２つの木製の角材３、３の間を長手方向にトラスを組むようにして配設されたトラス材４で一体化されたトラス構造に形成されており、内側の角材３が型枠１の外側面にビス等の固着金具で固定されている。支持部材２が型枠１のコンクリートの打設される面と反対の外側に装着されることで、型枠１がコンクリートの内圧で外側に膨出するのを防止することができる。
【００２２】
左右の支持部材２、２のそれぞれの外側面には、高さ方向に保持部材５が固定されている。図２に示すように、本実施例においては、３本の保持部材５が長手方向に間隔を置いて配設されている。
保持部材５は、図１に示すように、支持部材２の外側に接合される垂直部６と、垂直部６の上端から支持部材２とは反対方向（外側方向）に延びる水平部７とから形成され、略Ｌ字状をしている。保持部材５は、例えば、Ｈ形鋼等の鋼材から形成され、垂直部６と水平部７との間は溶接により固定されて一体構造をしている。保持部材５の垂直部６と支持部材２の角材３とは、図示しないが、公知のボルト等の固定金具で固定される。
また、保持部材５の垂直部６の下部と水平部７の外側部との間を直線的に結ぶようにして伸縮ジャッキ９が設けられている。伸縮ジャッキ９を伸長するように操作することにより、型枠１及び支持部材２を介して垂直部６に作用するコンクリートの内圧に抗して垂直部６と水平部７との間の角度（約９０°）を維持し、ひいては型枠１の膨らみを防止することができる。
【００２３】
保持部材５の垂直部６と水平部７とが交叉するコーナーには、長手方向に間隔を置いて配設される複数の保持部材５を連結して保持するための連結部材８が配設されている。連結部材８は、例えば、角形パイプから形成され、保持部材５の垂直部６に対してボルト等の固定金具２２で固定される。図２に示すように、連結部材８の長さは型枠１の長さとほぼ同じであり、３本の保持部材５が連結部材８により連結して固定される。これにより、型枠装置３０を構成する一対の半割型枠装置３１、３１の一方が形成される。同様にして、他方の半割型枠装置３１も形成され、これら一対の半割型枠装置３１、３１を図１に示すように対向して配置する。
【００２４】
一対の型枠１、１をまたいで左右の保持部材５、５の水平部７、７の上面には一対の半割型枠装置３１、３１の間隔を保持するための間隔保持梁１０が載置される。間隔保持梁１０は、例えば、Ｈ形鋼等の鋼材から形成され、地中梁等を築造するための溝の両側の地盤に達する程度の長さを有する。また、図２に示すように、本実施例の型枠１には、３本の保持部材５が配設されているから、３本の保持部材５に対応して間隔保持梁１０も３本配設される。
間隔保持梁１０は、保持部材５の水平部７と締付金具１１で一体に固定される。締付金具１１としては、特に限定されるものではないが、本実施例においては、保持部材５の水平部７及び間隔保持梁１０の断面の外郭を包み込める断面略Ｕ字状の形状を有し（図２参照。）、かつ、図１に示すように所定の幅を有するバンド部材１２と、該バンド部材１２の上端の内側に開口する断面コ字状をした挟着部１３、１３の間に挿入される板状の係止部材１４と、バンド部材１２と係止部材１４とを一体に締め付け固定するボルト２１等とから形成される。バンド部材１２のＵ字部の高さ寸法は、間隔保持梁１０と水平部７との合計の高さよりも小さく設定され、ボルト２１が締め付けられた場合に間隔保持梁１０と水平部７とが強固に締め付けられるようになっている。
なお、締付金具１１は、両側に２個ずつ配設されているが、これに限定されるものではなく、一個以上ずつであればよい。
間隔保持梁１０が保持部材５と一体に固定されることにより、一対の半割型枠装置３１、３１は一体化される。
【００２５】
また、間隔保持梁１０の両端面には端部部材１５、１５が溶接等により固着され、これら端部部材１５、１５のそれぞれに水平方向にジャッキベース１６、１６が装着されている。
ジャッキベース１６は、金属製で、ベース板２３からネジ棒２４が立設され、ネジ棒２４にナット付きのハンドル部材２５が螺合されたものであり、足場の高さ調節などに使用されている公知のものである。
ジャッキベース１６、１６のベース板２３は保持部材５の水平部７の端面に当接して固定されており、端部部材１５の内側のハンドル部材２５を操作することにより保持部材５を型枠１及び支持部材２に向けて押圧することができ、型枠１及び支持部材２を介して保持部材５に作用するコンクリートの内圧に対抗できる。このため、一対の半割型枠装置３１、３１を所定の間隔で保持することができる。また、端部部材１５の外側のハンドル部材２５を操作することにより保持部材５を型枠１及び支持部材２と反対方向に引っ張ることにより、コンクリート構造物から型枠を剥離することができる。
【００２６】
間隔保持梁１０と保持部材５とが締付金具１１で一体に固定されているため、型枠１及び支持部材２がコンクリートの内圧で外側に膨出する力を受けても、保持部材５の垂直部６で型枠１及び支持部材２の膨出を防止することができる。このため、従来用いられていたセパレータを省略することができる。
また、間隔保持梁１０の両側の端部部材１５、１５に設けられたジャッキベース１６、１６により、保持部材５、５の受ける外側方向の力と対向して保持部材５、５を中心側に押し戻すことができる。したがって、締付金具１１に加えてジャッキベース１６を設けることで、二重の安全を得ることができる。
【００２７】
図１に示すように、間隔保持梁１０の両端には型枠装置３０の高さを調節するとともに荷重を支持するためのジャッキベース１７、１７が装着される。ジャッキベース１７は、地中梁等を築造するための溝の両側の地盤の上に据え付けられる。また、図示は省略するが、保持部材５の垂直部６の下端部にもジャッキベースを装着して、上記ジャッキベース１７、１７と協働して型枠装置３０の高さ調節及び荷重支持を行わせることで、二重の安全及び精度を得ることができる。
【００２８】
図１及び図３に示すように、間隔保持梁１０の上面、すなわち、３本の間隔保持梁１０、１０、１０の上面に載置されるようにして、コンクリート打設作業に使用するための仮設足場１８が設置される。本実施例において、仮設足場１８は、型枠１、１の真上を除いて左右対称に形成され、長さ方向には、型枠１の長さとほぼ同じ長さを有する。したがって、コンクリートの打設される上方は開口され、打設作業を行う作業者は左右いずれか一方あるいは両方の仮設足場１８で作業を行うことができる。仮設足場１８は、足場板１９及び手すり２０を備え、これらの足場板１９及び手すり２０は、固定金具（図示は省略）により間隔保持梁１０に直接固定される。したがって、仮設足場１８を支持するための特別な部材を設ける必要がない。足場板１９としては、例えば、公知の足場板が用いられ、同じく、手すり２０としては、例えば、公知のパイプが用いられる。
また、図３に示すように、内側に位置する締付金具１１と足場板１９とが重複しているため、締付金具１１のボルト２１を緩めたり、締め付けたりの操作を行うための操作孔２６が足場板１９に設けられている。操作孔２６は左右の足場板１９、１９のいずれか一方に設けられればよい。図３の場合、右側の足場板１９に操作孔２６が設けられているため、左側の足場板１９においては、締付金具１１の調整は不要であるため、操作孔は設けられていない。
【００２９】
次に、図４ないし図８を参照しながら、コンクリート構造物の型枠工法について説明する。
（１）まず、図４に示すように、工場のヤード等において、次の手順で１組の半割型枠装置３１を製作する。
（ａ）型枠１の外側面に型枠１の長手方向に沿って、高さ方向において所定間隔をもって支持部材２を配設し、型枠１とビス等の固定金具を用いて固定する。
（ｂ）支持部材２の外側面に長手方向に間隔を置いて垂直部６と水平部７とからなる保持部材５を高さ方向に配設し、保持部材５の垂直部６と支持部材２の角材３とをボルト等の固定金具で固定する。
（ｃ）長手方向に間隔を置いて配設される３本の保持部材５の垂直部６と水平部７とが交叉するコーナーに連結部材８をボルト等の固定金具で固定し、３本の保持部材５を連結して保持する。これにより、半割型枠装置３１が形成される。
【００３０】
（２）同様に、上記（１）〜（３）の手順でもう１つの半割型枠装置３１を製作し、半割型枠装置３１の状態でトラック等にて現場に搬送する。
【００３１】
（３）図５に示すように、工事現場のヤード等において、一対の半割型枠装置３１、３１を対向して配置する。
（４）図６に示すように、一対の半割型枠装置３１、３１を対向配置させた状態で一対の半割型枠装置３１、３１の上方をまたいで左右の保持部材５、５の水平部７、７の上面に間隔保持梁１０を載置し、水平部７、７と間隔保持梁１０とを締付金具１１で一体に固定して一対の半割枠装置３１、３１を一体に組み立てる。さらに、保持部材５の垂直部６の下部と水平部７の外側端部との間を直線的に結ぶようにして伸縮ジャッキ９を装着する。また、間隔保持梁１０の両端面には端部部材１５、１５を溶接等により固着し、これら端部部材１５、１５のそれぞれに水平方向にジャッキベース１６、１６を装着する。ジャッキベース１６、１６のベース板２３を保持部材５の水平部７の端面に当接して固定し、ジャッキベース１６、１６操作して保持部材５を型枠１及び支持部材２に向けて押圧又は引っ張りして調節する。
【００３２】
（５）図７に示すように、間隔保持梁１０の上面、すなわち、３本の間隔保持梁１０、１０、１０の上面に載置されるようにして、コンクリート打設作業に使用するための仮設足場１８を設置する。仮設足場１８は、一対の型枠１、１で形成される空間の真上を除いて左右対称に形成される。
以上で、工事現場のヤード等における型枠装置３０の組み立て作業は完了する。
【００３３】
（６）図８に示すように、コンクリート構造物を築造する現場にクレーン装置５２等を用いて型枠装置３０を搬入して捨コンクリート５０の上に型枠装置３０の据え付けを行う。その際、間隔保持梁１０の両端に型枠装置３０の高さを調節するとともに荷重を支持するためのジャッキベース１７、１７を装着する。ジャッキベース１７は、地中梁等を築造するための溝の両側の地盤の上に据え付けられる。なお、保持部材５の垂直部６の下端部にもジャッキベースを装着して、上記ジャッキベース１７、１７と協働して型枠装置３０の高さ調節及び荷重支持を行わせることができる。
（７）型枠１、１の空間内にコンクリートを打設し、コンクリートの硬化後、型枠装置３０を分解することなく次の打設位置に移動させる。
【００３４】
以上、本発明の実施例を図面により説明してきたが、具体的な構成はこれら実施例に限られるものではなく、本発明の要旨を逸脱しない範囲における変更や追加があっても本発明に含まれる。
【００３５】
例えば、前記実施例では、支持部材２の外側面に長手方向に間隔を置いて配設される保持部材５が３本用いられる例について説明したが、本発明はこれに限定されることなく、型枠の横方向の長さ及び打設されるコンクリートから受ける内圧等の条件に応じて、適宜、設計的に決定されるものである。少なくとも、２本以上であればよい。
【００３６】
また、例えば、前記実施例では、締付金具１１としては図２に示すようなバンド部材１２と係止部材１４とをボルト２１で一体に締め付け固定する構造のものを説明したが、これに限定されることなく、間隔保持梁１０と保持部材５とが分解可能に強固に固定されるものであればよい。
【符号の説明】
【００３７】
１                        型枠          
２                        支持部材
３                        角材    
４                        トラス材
５                        保持部材
６                        垂直部
７                        水平部
８                        連結部材
９                        伸縮ジャッキ
１０                      間隔保持梁
１１                      締付金具
１２                      バンド部材                       
１３                      挟着部
１４                      係止部材
１５                      端部部材  
１６                      ジャッキベース
１７                      ジャッキベース
１８                      仮設足場
１９                      足場板
２０                      手すり
２１                      ボルト
２２                      固定金具
２３                      ベース板
２４                      ネジ棒
２５                      ハンドル部材
２６                      操作孔 
３０                      型枠装置  
３１                      半割型枠装置
５０                      捨コンクリート
５１                      位置出し用の桟木
【要約】      （修正有）【課題】セパレータを用いることなく型枠間の間隔を保持することができるコンクリート構造物用型枠装置の提供。【解決手段】一対の型枠１と、一対の型枠１のそれぞれの外側面に固定される支持部材２と、支持部材２のそれぞれの外側面に長手方向と直交するするように間隔を置いて配設される保持部材５とを備え、保持部材５は、支持部材２の外側に固定される垂直部６と、垂直部６の上端から支持部材２とは反対方向に延びる水平部７とから形成されるとともに、垂直部６と水平部７とが交叉するコーナーには、長手方向に間隔を置いて配設される複数の保持部材５を連結して保持するための連結部材８が配設されており、一対の型枠１をまたいで左右の保持部材５の水平部７の上面には一対の型枠１の間隔を保持するための間隔保持梁１０が載置され、水平部７と間隔保持梁１０とは締付金具１１で一体に固定される。【選択図】図１【図１】
0006910101.tif 000002
【図２】
0006910101.tif 000003
【図３】
0006910101.tif 000004
【図４】
0006910101.tif 000005
【図５】
0006910101.tif 000006
【図６】
0006910101.tif 000007
【図７】
0006910101.tif 000008
【図８】
0006910101.tif 000009